(57)【要約】【課題】電源投入直後に撮影を可能にすると共に撮像画像を確実に記録する。【解決手段】  撮影機器は、撮像部と、不揮発性の内蔵メモリと、起動時に読込んだプログラムに基づいて起動処理を行って、上記撮像部による撮像及び撮像した画像の処理を可能にすると共に、第１の記録媒体に対するマウント処理を開始し、上記マウント処理の完了前に上記撮像部による撮影が指示された場合には、上記撮像部からの撮像画像を必要に応じて、コントラスト、色などの調整の他、圧縮などの処理をした後上記内蔵メモリに記録する制御部とを具備したことを特徴とする。【選択図】図１
2012049898.tif 000002
【特許請求の範囲】
【請求項１】
撮像部と、
不揮発性の内蔵メモリと、
起動時に読込んだプログラムに基づいて起動処理を行って、上記撮像部による撮像及び撮像した画像の処理を可能にすると共に、第１の記録媒体に対するマウント処理を開始し、上記マウント処理の完了前に上記撮像部による撮影が指示された場合には、上記撮像部からの撮像画像を処理して圧縮した後上記内蔵メモリに記録する制御部と
を具備したことを特徴とする撮影機器。
【請求項２】
上記制御部は、上記内蔵メモリに撮像画像が記録されている場合には、上記内蔵メモリに記録されている画像を上記マウント処理の完了後に上記第１の記録媒体に転送して記録する
ことを特徴とする請求項１に記載の撮影機器。
【請求項３】
上記制御部は、電池の挿入によって電力供給が開始された場合には、上記内蔵メモリに撮像画像が残っているか否かを判定し、残っている場合には上記内蔵メモリに記録されている画像をマウント処理の完了後に上記第１の記録媒体に転送して記録する
ことを特徴とする請求項１又は２に記載の撮影機器。
【請求項４】
上記撮像部からの撮像画像は、動画像であり、
上記制御部は、上記第１の記録媒体のマウント処理の完了前は上記動画像を上記内蔵メモリに記録し、上記第１の記録媒体のマウント処理の完了後は上記動画像を上記第１の記録媒体に記録する
ことを特徴とする請求項１乃至３に記載の撮影機器。
【請求項５】
上記制御部は、上記内蔵メモリに動画像が記録された場合には、上記内蔵メモリに記録された動画像と上記第１の記録媒体に記録された動画像とを合成して上記第１の記録媒体に記録する
ことを特徴とする請求項４に記載の撮影機器。
【発明の詳細な説明】
【技術分野】
【０００１】
本発明は、起動を高速にした撮影機器に関する。
【背景技術】
【０００２】
近年、デジタルカメラなどの撮影機能付き携帯機器（撮影機器）が普及している。この種の撮影機器においては、撮像画像を圧縮して半導体メモリ等の外付け記録媒体に記憶させるものが多い。撮影機器に内蔵されたＣＰＵは、プログラムを読み込んで起動時の各種処理（以下、起動処理という）を実行する。この起動処理に際して、ＣＰＵは、外付け記録媒体に対するマウント処理を実行し、外付け記録媒体についての管理情報を生成する。この管理情報は撮影機器に内蔵されているＤＲＡＭに転送されて記録される。
【０００３】
しかしながら、マウント処理には比較的長時間を要し、撮影機器は、電源投入から撮影可能となるまでに長時間を要する。
【０００４】
そこで、特許文献１においては、ＣＰＵが、起動時には撮影に必要な最低限のプログラムのみを実行すると共に、ＣＰＵがプログラムの実行及び画像処理に用いるバッファメモリ（ＤＲＡＭ）に、撮像データを記録し、通常時と同じ起動処理が完了すると、バッファメモリに記録された画像データに対する圧縮等の信号処理を順次行って、外付け記録媒体に転送記録する技術が開示されている。これにより、特許文献１の装置は、起動後の比較的短時間に撮影を行うことを可能にしている。
【先行技術文献】
【特許文献】
【０００５】
特開２００９−２９６６５６号公報
【発明の概要】
【発明が解決しようとする課題】
【０００６】
しかしながら、特許文献１の装置においては、被圧縮のデータがバッファメモリに格納されるようになっており、この画像データによってバッファメモリの多くの領域が占有されてしまう。また、撮影直後に電源をオフにした場合等においては、バッファメモリに記憶された画像データが外付け記録媒体に転送記録されることなく消去されてしまうという問題があった。
【０００７】
本発明は、電源投入直後に撮影を可能にすると共に撮像画像を確実に記録することができる撮影機器を提供することを目的とする。
【課題を解決するための手段】
【０００８】
本発明に係る撮影機器は、撮像部と、不揮発性の内蔵メモリと、起動時に読込んだプログラムに基づいて起動処理を行って、上記撮像部による撮像及び撮像した画像の処理を可能にすると共に、第１の記録媒体に対するマウント処理を開始し、上記マウント処理の完了前に上記撮像部による撮影が指示された場合には、上記撮像部からの撮像画像を必要に応じて、コントラスト、色などの調整の他、圧縮などの処理をした後上記内蔵メモリに記録する制御部とを具備したことを特徴とする。
【発明の効果】
【０００９】
本発明によれば、電源投入直後に撮影を可能にすると共に撮像画像を確実に記録することができるという効果を有する。
【図面の簡単な説明】
【００１０】
【図１】本発明の第１の実施の形態に係る撮影機器の回路構成を示すブロック図。
【図２】本実施の形態における動作を説明するためのタイミングチャート。
【図３】本実施の形態における動作を説明するためのタイミングチャート。
【図４】本実施の形態における動作を説明するためのタイミングチャート。
【図５】本実施の形態における動作を説明するためのタイミングチャート。
【図６】本実施の形態における動作を説明するためのタイミングチャート。
【図７】本発明の第２の実施の形態において採用される動作フローを示すフローチャート。
【図８】本発明の第３の実施の形態において採用される動作フローを示すフローチャート。
【発明を実施するための形態】
【００１１】
以下、図面を参照して本発明の実施の形態について詳細に説明する。
【００１２】
（第１の実施の形態）
図１は本発明の第１の実施の形態に係る撮影機器の回路構成を示すブロック図である。
【００１３】
撮影機器１０は、制御部１１によって全体が制御されるようになっている。撮影機器１０は、ＣＣＤやＣＭＯＳセンサ等の撮像素子によって構成された撮像部１２を有している。図示しない撮影レンズからの被写体の光学像は、撮像部１２を構成する撮像素子の撮像面に結像するようになっている。撮像部１２は、制御部１１によって駆動制御される。制御部１１は、撮像部１２に撮像素子の駆動信号を出力すると共に、撮像素子が光学像を光電変換して得た画像信号を取り込む。
【００１４】
制御部１１は、例えばＡＳＩＣ（Application Specific Integrated Circuit）によって構成されており、内蔵メモリ１４に格納されたプログラムを読み出して実行することで、カメラ機能を実現する。制御部１１はカメラ機能を実現するために、ＤＲＡＭ１３を用いて処理を行う。
【００１５】
例えば、制御部１１は、撮像素子の光電変換によって得られた画像信号に対して、ＤＲＡＭ１３を利用しながら、所定の信号処理、例えば、色信号生成処理、マトリックス変換処理、その他各種のデジタル処理を行う。更に、制御部１１は、画像信号及び音声信号等の記録に際して、ＤＲＡＭ１３に記憶されている撮像データに対して符号化処理を施して圧縮した画像データ及び音声データ等を得るようになっている。
【００１６】
また、撮影機器１０には、操作部１７も配設されている。操作部１７は、撮影機器１に設けられた図示しないレリーズボタンや撮影モード設定等の各種スイッチに対するユーザ操作に基づく操作信号を発生して、制御部１１に出力するようになっている。制御部１１は、操作信号に基づいて、各部を制御する。
【００１７】
撮影機器１０には電池１９が内蔵されており、電源部１８は電池１９からの電力供給によって、撮影機器１０の各部において使用する電力を発生して各部に供給するようになっている。なお、電池１９は、例えば充電等のために撮影機器１０から取り外すことができるようになっている。
【００１８】
撮影機器１０には、外付け記録媒体を装着するためのインターフェースが設けられている。例えば、図１の例では、撮影機器１０にはＳＤカード用のカードインターフェースが設けられており、外付け記録媒体であるＳＤカードが装着されるようになっている。制御部１１は、ＤＲＡＭ１３に記録されている画像データ及び音声データを外付け記録媒体であるＳＤカード１５に転送して記録させることができるようになっている。、
撮影機器１０には表示部１６も設けられている。表示部１６は、制御部１１から画像信号が与えられて、画像信号に基づく表示を行う。例えば、表示部１６には、撮像部１２によって撮像されて信号処理された画像信号が与えられる。これにより、表示部１６の表示画面上において、撮影時の画像を表示することができる。また、表示部１６には、ＳＤカード１５からの再生画像に基づく画像信号が制御部１１によって与えられる。この場合には、表示部１６は、ＳＤカード１５に記録されている再生画像を表示することができる。
【００１９】
おな、表示部１６は、制御部１１に制御されて、撮影機器１の操作を行うためのメニュー表示やメッセージ表示等を表示することもできるようになっている。
【００２０】
本実施の形態においては、撮影機器１０には内蔵メモリ１４が設けられている。内蔵メモリ１４は、起動時撮影記録領域を有している。この起動時撮影記録領域は、起動時直後における撮像画像を記録する専用領域であり、制御部１１はＤＲＡＭ１３を用いて必要に応じて圧縮などの処理を施した画像データを内蔵メモリ１４の起動時撮影記録領域に与えて記録させることができるようになっている。
【００２１】
本実施の形態においては、起動時撮影記録領域を有する内蔵メモリ１４として、制御部１１のカメラ機能を達成するためのプログラムを格納するプログラムメモリと兼用した例を示したが、プログラムを格納したメモリと異なるメモリを内蔵メモリとしてもよい。本実施の形態においては、内蔵メモリ１４は、不揮発性である。
【００２２】
ＳＤカード１５に画像を記録する前には、ＳＤカード１５の記録状態等を検出して管理情報を生成するマウント処理が必要である。なお、外付け記録媒体だけでなく、内蔵メモリに画像を記録可能に構成された撮影機器もあるが、このような内蔵メモリについても、メモリの状態を検出して管理情報を生成するマウント処理が必要である。
【００２３】
これに対し、内蔵メモリ１４の起動時撮影記録領域は、１枚の画像を記録するための専用領域であり、制御部１１において起動時撮影記録領域にアクセスするプログラムを実行することで起動時撮影記録領域への記録及び再生が可能である。即ち、内蔵メモリ１４の起動時撮影記録領域への書き込みに際してマウント処理は不要である。
【００２４】
制御部１１は、電源投入によってプログラムを読み出して起動処理を実行する。この場合において、本実施の形態においては、制御部１１はＳＤカード１５のマウント処理の優先度を低くし、撮影処理に必要な他の起動処理をマウント処理に先立って実行するようになっている。そして、制御部１１は、起動処理によって撮影可能となった以降の空き時間を利用して、ＳＤカード１５のマウント処理を実行するようになっている。
【００２５】
本実施の形態においては、起動処理によって撮影可能な状態となった以降マウント処理の完了前に撮影操作が行われた場合には、制御部１１は、撮像部１２を制御して撮像を行わせると共に、撮像画像をＤＲＡＭ１３を用いて信号処理した後、圧縮された撮像画像を、内蔵メモリ１４の起動時撮影記録領域に与えて記録するようになっている。なお、撮像画像を圧縮することなく内蔵メモリ１４に与えて記録するようにしてもよい。
【００２６】
また、制御部１１は、ＳＤカード１５のマウント処理が完了すると、内蔵メモリ１４の起動時撮影記録領域に画像データが保存されている場合には、起動時撮影記録領域の画像データを読み出してＳＤカード１５に転送して記録するようになっている。
【００２７】
次に、このように構成された実施の形態の作用について図２乃至図６を参照して説明する。図２乃至図６は本実施の形態における動作を説明するためのタイミングチャートであり、丸英数字は図２乃至図６のフローチャート同士の連結を示し、対応する英数字に連結されることを示している。また、図２乃至図６の２重縦線の枠は、表示に関する処理を示している。
【００２８】
電源が投入されると、制御部１１は、ステップＳ２において、先ず起動時処理を実行する。この場合には、制御部１１は、マウント処理については最も低い優先度で処理を行う。即ち、本実施の形態における起動時処理においては、空き時間までマウント処理が実行されない。
【００２９】
従来ＳＤカード１５のマウント処理が完了しなければ、撮影が行われない。これに対し、本実施の形態においては、マウント処理が完了していなくても、起動時処理の所定の段階において撮影が可能である。
【００３０】
制御部１１はステップＳ３において未保存画像の有無をチェックする。内蔵メモリ１４に画像データが残っている場合には処理を分岐Ａに移行し、残っていない場合には処理をステップＳ４に移行する。ユーザによる撮影指示が発生していない場合には、ステップＳ４から処理を通常起動へ移行し、マウント処理を含む起動時処理を完了させる。
【００３１】
制御部１１は、ステップＳ４において、撮影指示が発生していると判定した場合には、表示部１６に画像を記録中であることを示す表示、例えば「画像記録中」という表示を表示させる（ステップＳ５）。そして、制御部１１は、撮像部１２を制御して撮像部１２からの撮像信号を取り込み、ＤＲＡＭ１３を用いて所定の信号処理及び符号化処理を行う。
【００３２】
本実施の形態においては、制御部１１は、ステップＳ６において、ＳＤカード１５のマウント処理が完了しているか否かを判定する。この時点までにＳＤカードのマウント処理が完了している場合には、制御部１１はステップＳ７において撮像画像を記録するのに必要な残容量がＳＤカード１５に残っているか否かを判定する。必要な残容量が残っている場合には、制御部１１はＤＲＡＭ１３に保持されている圧縮された画像データを読み出してＳＤカード１５に与えて記録する（ステップＳ８）。
【００３３】
なお、制御部１１は、ＳＤカード１５に対して書き込みや画像データの消去を行った場合には、この書き込みや消去等に対応させてＤＲＡＭ１３に記憶した管理情報も更新する。
【００３４】
しかし、起動から極めて短い時間後に撮影指示が行われた場合には、ステップＳ６の判定の段階でＳＤカード１５のマウント処理が完了していないことが考えられる。この場合には、制御部１１は、内蔵メモリ１４の起動時撮影記録領域にＤＲＡＭ１３に保存されている圧縮された画像データを与えて記録する（ステップＳ９）。なお、圧縮していない画像データを記録するようにしてもよい。ＳＤカード１５への記録が終了すると、通常の起動処理に移行する。
【００３５】
上述したように、内蔵メモリ１４の起動時撮影記録領域は、撮影された画像を記録するための専用領域であり、マウント処理を必要とすることなく、画像の記録が可能である。従って、起動直後のＳＤカード１５のマウント処理が完了する前の起動後の短時間に撮影操作が行われた場合でも、起動時撮影記録領域を利用することで撮影画像の記録が可能である。
【００３６】
なお、ステップＳ７においてＳＤカード１５に十分な残容量がないと判定された場合においても、ステップＳ９で起動時撮影記録領域に撮影画像を記録する。
【００３７】
ステップＳ９の処理によって、撮像画像は内蔵メモリ１４に記録される。制御部１１は、内蔵メモリ１４に画像データが記録された理由を判定する。即ち、制御部１１は先ずステップＳ１０においてＳＤカード１５が装着されているか否かを判定する。
【００３８】
装着されていない場合には、制御部１１は処理を分岐Ｂに移行する。図３は分岐Ｂの処理を示している。制御部１１は、図３のステップＳ４３において、表示部１６に「カードが入っていません」というメッセージを表示させる。通常、ユーザはこのようなメッセージに対して電源オフ操作を行うか又はＳＤカードの装着作業を行う。制御部１１は、これらの操作をステップＳ４４，Ｓ４６において監視する。ステップＳ４６において、制御部１１はＳＤカード１５の装着を検出すると、ステップＳ４７において、ＳＤカード１５のマウント処理を開始する。また、制御部１１は、ステップＳ４４において電源オフ操作（パワーオフ？）を検出すると、ステップＳ４５の電源オフ処理（パワーオフ）を実行する。
【００３９】
ステップＳ１０においてＳＤカード１５が装着されていると判定された場合には、制御部１１は次のステップＳ１１においてＳＤカード１５のマウント処理が完了したか否かを判定する。
【００４０】
マウント処理が完了していない場合には、制御部１１は処理を分岐Ｃに移行する。図４は分岐Ｃの処理を示している。制御部１１は、図４のステップＳ２５において、ＳＤカード１５が正常か否かを判定する。正常と判定した場合には、制御部１１は処理を図２のステップＳ１０に戻す。制御部１１は、装着されているＳＤカード１５が異常であると判定した場合には、次のステップＳ２６において、表示部１６に「このカードは使えません」というメッセージを表示させる。更に、制御部１１は、装着されているＳＤカード１５の交換又はフォーマットを促す「カードを交換」、「カードフォーマット」というメッセージを表示部１６に表示させる。
【００４１】
ユーザは表示部１６のメッセージに対して操作部１７を操作してカード交換とフォーマットのいずれかの操作を指示する。制御部１１は、ステップＳ２８においてユーザ操作の選択結果を判定する。ユーザがカード交換を選択した場合には、制御部１１は、ステップＳ２９において表示部１６に「カードを交換してください」というメッセージを表示させ、ステップＳ３０においてＳＤカードが交換されたか否かを検出する。ＳＤカードが交換されたことを検出すると、制御部１１はステップＳ３３においてＳＤカードのマウント処理を開始した後、処理を図２のステップＳ１０に戻す。
【００４２】
一方、ユーザがフォーマットを選択した場合には、制御部１１は、ステップＳ３１において表示部１６に「フォーマット中」というメッセージを表示させると共に、装着されているＳＤカード１５のフォーマットを開始する。次いで、制御部１１は、ステップＳ３２においてフォーマットが完了したか否かを検出する。フォーマットが完了したことを検出すると、制御部１１はステップＳ３３においてＳＤカードのマウント処理を開始した後、処理を図２のステップＳ１０に戻す。
【００４３】
ステップＳ１１においてＳＤカードのマウントが完了していると判定された場合には、制御部１１は次のステップＳ１２においてＳＤカード１５に画像の記録に必要な残容量が残っているか否かを判定する。
【００４４】
ＳＤカード１５に必要な残容量が残っていないと判定した場合には、制御部１１は処理を分岐Ｄに移行する。図５は分岐Ｄの処理を示している。制御部１１は、図５のステップＳ１５において、表示部１６に「カード残量Ｆｕｌｌ」というメッセージを表示させる。更に、制御部１１は、ユーザによる選択操作を促す「カードを交換」、「カード容量を空ける」、「画像保存しない」というメッセージを表示部１６に表示させる。
【００４５】
表示部１６のメッセージに対して、ユーザが操作部１７を操作して画像保存しないという操作を指示するものとする。制御部１１は、ステップＳ２０においてユーザ操作の選択結果を判定する。ユーザが画像を保存しないことを選択した場合には、制御部１１は、ステップＳ１７において表示部１６に撮像画像を表示させる。即ち、制御部１１は、内蔵メモリ１４に保持されている画像を読み出して伸張処理等の所定の信号処理を施した後、表示部１６に与えて表示させる。
【００４６】
更に、制御部１１は、表示部１６に表示された撮像画像上に「保存する」、「保存しない」という選択画面をスーパーインポーズする。ユーザが操作部１７を操作して画像保存しないという操作を指示した場合には、制御部１１は処理を図２の通常起動処理に移行する。ユーザが画像を保存するという操作を指示した場合には、制御部１１は、ステップＳ１５に処理を戻して、「カード残量Ｆｕｌｌ」のメッセージを再度表示させる。
【００４７】
ステップＳ１６のメッセージに対して、ユーザがカード交換を指示した場合には、制御部１１は、ステップＳ２１において表示部１６に「カードを交換してください」というメッセージを表示させ、ステップＳ２２においてＳＤカードが交換されたか否かを検出する。ＳＤカードが交換されたことを検出すると、制御部１１はステップＳ３４においてＳＤカードのマウント処理を開始した後、処理を図２のステップＳ１０に戻す。
【００４８】
また、ユーザがカード容量を空けることを選択した場合には、制御部１１は、ステップＳ２３において表示部１６に消去画像選択画面を表示させる。即ち、制御部１１は、ＤＲＡＭ１３に格納されているＳＤカード１５の管理情報を読み出して、ＳＤカード１５に記録されている画像を選択して消去するための消去画像選択画面を表示させる。この画面表示に対してユーザが消去画像の選択操作を行うと、制御部１１は選択された画像をＳＤカード１５から消去する。制御部１１は、画像の消去が完了したことを判定すると、処理を図２のステップＳ１０に戻す。
【００４９】
制御部１１は、ステップＳ１２において、ＳＤカード１５に画像を記録するのに必要な残容量が残っていると判定すると、次のステップＳ１３において、内蔵メモリ１４の起動時撮影記録領域に保存されている画像を読み出して、ＳＤカード１５に与えて記録する。次に、制御部１１は、起動時撮影記録領域に保存されている画像データを消去する（ステップＳ１４）。
【００５０】
ところで、ＳＤカードが装着されずに撮影が行われた場合、装着されているＳＤカードに異常がある場合、装着されているＳＤカードの残容量が十分でない場合等においては、電源投入直後に撮影して内蔵メモリ１４に保持された画像がＳＤカード１５にコピーされる前に電源がオフにされることがある。
【００５１】
本実施の形態においては、内蔵メモリ１４は不揮発性であり、電源がオフされた場合でも、記憶した画像データは保持される。起動時において、内蔵メモリ１４の起動時撮影記録領域に記録された画像データが残っていることを検出した場合には、制御部１１はステップＳ３から処理を分岐Ａに移行する。図６は分岐Ａの処理を示している。制御部１１は、図６のステップＳ５１において、表示部１６に「未保存画像があります」というメッセージを表示させる。更に、制御部１１は、未保存画像を表示部１６に表示する（ステップＳ５２）。即ち、制御部１１は、内蔵メモリ１４の起動時撮影記録領域に保存されている画像データを読み出して伸張処理等の所定の信号処理を施した後、表示部１６に与えて表示させる。
【００５２】
更に、制御部１１は、表示部１６に表示された撮像画像上に「保存する」、「保存しない」という選択画面をスーパーインポーズする（ステップＳ５３）。ユーザが操作部１７を操作して画像保存しないという操作を指示した場合には、制御部１１はステップＳ５５において起動時撮影記録領域の画像データを消去した後、処理を図２の通常起動処理に移行する。ユーザが画像を保存するという操作を指示した場合には、制御部１１は、図２のステップＳ１０に処理を戻す。
【００５３】
このように本実施の形態においては、起動時においては、外付け記録媒体のマウント処理が完了しているか否かに拘わらず、撮影した画像を内蔵メモリの起動時撮影記録領域に記録することができる。例えば、外付け記録媒体であるＳＤカードが装着されていない場合、装着されているＳＤカードに異常がある場合、装着されているＳＤカードの残容量が十分でない場合等であっても、電源投入直後に撮影及び記録が可能である。しかも、ＳＤカードのこのような状態を検出するマウント処理が不要であり、装着されているＳＤカードの状態に拘わらず、起動時撮影記録領域への記録が可能である。これにより、起動直後の極めて短い時間で、撮影及び記録が可能となる。内蔵メモリは不揮発性であり、起動時撮影記録領域に記録された画像は、ユーザの明示的な指示がなければ消去されることはなく、撮影した画像を、外付け記録媒体に確実に転送して記録保存することができる。また、内蔵メモリに圧縮した画像データを記録する場合には、内蔵メモリの起動時撮影記録領域の容量は比較的小さくて済む。
【００５４】
（第２の実施の形態）
図７は本発明の第２の実施の形態において採用される動作フローを示すフローチャートである。本実施の形態のハードウェア構成は図１の第１の実施の形態と同様である。
【００５５】
本実施の形態は電池挿入時における制御部１１の動作に関する。内蔵メモリ１４は不揮発性であり、撮影機器１０から電池１９が抜き出された場合でも、起動時撮影記録領域に記録された画像は消去されない。本実施の形態は電池挿入時において起動時撮影記録領域に残っている画像を外付け記録媒体に転送して記録するものである。
【００５６】
電池の充電等のために撮影機器１０から抜き出された電池１９が撮影機器１０に挿入されるものとする。そうすると、制御部１１は電源部１８からの電力供給によって動作を開始し、起動時処理Ｓ６１を実行する。ステップＳ６１における起動時処理は、内蔵メモリ１４に残っている撮像画像をＳＤカード１５に転送して記録するために必要な処理を行うものであり、ＳＤカード１５のマウント処理も開始する。
【００５７】
制御部１１は、ステップＳ６２において、内蔵メモリ１４の起動時撮影記録領域に画像データが残っているか否かを検出する。起動時撮影記録領域に画像データが残っていない場合には、制御部１１はパワーオフ処理を行う。起動時撮影記録領域に画像データが残っている場合には、制御部１１はステップＳ６２から処理をステップＳ６３に移行し、表示部１６に「未保存画像があります」というメッセージを表示させる。更に、制御部１１は、未保存画像を表示部１６に表示する（ステップＳ６４）。即ち、制御部１１は、内蔵メモリ１４の起動時撮影記録領域に保存されている画像データを読み出して伸張処理等の所定の信号処理を施した後、表示部１６に与えて表示させる。
【００５８】
更に、制御部１１は、表示部１６に表示された撮像画像上に「保存する」、「保存しない」という選択画面をスーパーインポーズする（ステップＳ６５）。ユーザが操作部１７を操作して画像保存しないという操作を指示した場合には、制御部１１はステップＳ６７において起動時撮影記録領域の画像データを消去した後、パワーオフする。ユーザが画像を保存するという操作を指示した場合には、制御部１１は、図２のステップＳ１０移行の処理を実行する。即ち、図２のステップＳ１０〜Ｓ１４及び図３乃至図５の処理が行われる。なお、この場合には、図２とは異なり、処理終了後に通常起動するのではなくパワーオフする。
【００５９】
このように本実施の形態においては、撮影機器１０から電池１９を取り出した場合でも、内蔵メモリ１４の起動時撮影記録領域には撮像した画像データが残っており、電池を挿入することによって、自動的に起動時撮影記録領域に残っている画像データをＳＤカード等の外付け記録媒体に転送して記録することができる。
【００６０】
（第３の実施の形態）
図８は本発明の第３の実施の形態において採用される動作フローを示すフローチャートである。本実施の形態のハードウェア構成は図１の第１の実施の形態と同様である。
【００６１】
本実施の形態は動画記録に適用した例である。電源が投入されると、制御部１１は、図８のステップＳ７１において起動時処理を実行する。この起動時処理は図２のステップＳ２の起動時処理と同様の処理であり、動画撮影を可能にするためのものである。
【００６２】
制御部１１は、ステップＳ７２において、動画記録開始指示が発生していると判定した場合には、表示部１６に画像を記録中であることを示す表示、例えば「画像記録中」という表示を表示させる（ステップＳ７３）。そして、制御部１１は、撮像部１２を制御して撮像部１２からの撮像信号を取り込み、ＤＲＡＭ１３を用いて所定の信号処理及び符号化処理を行う。
【００６３】
本実施の形態においては、制御部１１は、ステップＳ７４において、ＳＤカード１５のマウント処理が完了しているか否かを判定する。この時点までにＳＤカードのマウント処理が完了している場合には、制御部１１はステップＳ７５においてＳＤカードに動画の記録を行う。即ち、制御部１１は、ＤＲＡＭ１３に保持されている圧縮された動画像データを読み出してＳＤカード１５に与えて記録する。動画記録が終了すると、制御部１１はステップＳ７６から処理を通常起動に移行する。
【００６４】
しかし、起動から極めて短い時間後に撮影指示が行われた場合には、ステップＳ７４の判定の段階でＳＤカード１５のマウント処理が完了していないことが考えられる。この場合には、制御部１１は、内蔵メモリ１４の起動時撮影記録領域にＤＲＡＭ１３に保存されている圧縮された画像データ（動画Ａ）を与えて記録する（ステップＳ７７）。なお、圧縮していない画像データを記録するようにしてもよい。内蔵メモリ１４への記録は、ＳＤカード１５のマウント処理が完了するまで継続される。
【００６５】
内蔵メモリ１４の起動時撮影記録領域は、撮影された画像を記録するための専用領域であり、マウント処理を必要とすることなく、動画像の記録が可能である。従って、起動直後のＳＤカード１５のマウント処理が完了する前の起動後の短時間に動画の撮影操作が行われた場合でも、起動時撮影記録領域を利用することで撮影動画像の記録が可能である。
【００６６】
ＳＤカード１５のマウント処理が完了すると、制御部１１は、以後、ＤＲＡＭ１３から読み出した画像データ（動画像Ｂ）をＳＤカード１５に与えて記録する（ステップＳ７９）。動画像の記録処理が終了するまで、ＳＤカード１５への記録が継続される。
【００６７】
制御部１１は、動画像の記録が終了したことを判定すると（ステップＳ８０）、表示部１６に「動画合成中」というメッセージを表示させる。次に、制御部１１は、内蔵メモリ１４に記録されている動画ＡとＳＤカード１５に記録されている動画Ｂとを合成して、合成画像をＳＤカード１５に記録する。
【００６８】
次に、制御部１１は、起動時撮影記録領域に保存されている動画像データを消去する（ステップＳ８３）。そして、制御部１１は、表示部１６の表示画面から「動画合成中」のメッセージを消去して、通常起動に移行する。
【００６９】
このように本実施の形態においては、起動時において、外付け記録媒体のマウント処理が完了しているか否かに拘わらず、撮影した動画像を内蔵メモリの起動時撮影記録領域に記録することができる。そして、外付け記録媒体のマウント完了後に、内蔵メモリに記録された動画と外付け記録媒体に記録された動画とを合成することで、起動直後から撮像した動画像の全てを１ファイルとして記録することができる。こうして、電源投入直後の極めて短時間の後に動画像の撮影及び記録が可能である。
【００７０】
なお、本実施の形態においても、図２のステップＳ１０〜Ｓ１４及び図３乃至図５の処理と同様の処理を行うようにしてもよい。
【００７１】
また、本実施の形態においても、内蔵メモリの起動時撮影記録領域の画像データは、ユーザの明示的な指示がなければ消去されることはない。従って、内蔵メモリに記録されている動画像データを外付け記録媒体に転送して記録する前にパワーオフ等が生じた場合でも、再度電源を投入することによって、内蔵メモリに残っている動画像データを外付け記録媒体の動画像データと合成して外付け記録媒体に記録することができることは明らかである。
【符号の説明】
【００７２】
１０…撮影機器、１１…制御部、１２…撮像部、１３…ＤＲＡＭ、１４…内蔵メモリ、１５…ＳＤカード、１６…表示部、１７…操作部、１８…電源部、１９…電池。
【図１】
2012049898.tif 000003
【図２】
2012049898.tif 000004
【図３】
2012049898.tif 000005
【図４】
2012049898.tif 000006
【図５】
2012049898.tif 000007
【図６】
2012049898.tif 000008
【図７】
2012049898.tif 000009
【図８】
2012049898.tif 000010